【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
ＯＤＵｋトラフィックに含まれているトラフィックと、ＯＤＵｋトラフィックに含まれていないトラフィックとを交互に含んでいる異なる型式のトラフィックを、送信要素と受信要素の間で交互に転送するための、送信要素と受信要素の間のデジタル相互接続を支援するように設計されたフレーム構造において、オーバーヘッド情報を中にマッピングできるようなサイズになっている少なくとも１つのオーバーヘッド区画と、交互に転送される各型式のトラフィックの特性データを中にマッピングできるようなサイズになっているデータ区画と、を備え、前記転送されるトラフィックの型式は、少なくとも、ＯＤＵｋ、ＳＴＳ−ｎ、ＶＣ−ｎ及びＣＢＲｘの中から選択されることを特徴とするフレーム構造。
【請求項２】
固定寸法を有しており、一定の間隔で繰り返されることを特徴とする、請求項１に記載のフレーム構造。
【請求項３】
ｐＯＴＮオーバーヘッド区画と、詰め込み及びデータ区画と、オーバーヘッド区画ｐＳＯＨと、データ区画の少なくとも４つの区画で編成されていることを特徴とする、請求項１に記載のフレーム構造。
【請求項４】
前記フレームのフォーマットは、９行と４４１６列／タイムスロットで構成されていることを特徴とする、請求項１に記載のフレーム構造。
【請求項５】
前記フォーマットは、合計３９７４４バイトから成ることを特徴とする、請求項４に記載のフレーム構造。
【請求項６】
１２５μｓの周期を有することを特徴とする、請求項１に記載のフレーム構造。
【請求項７】
列１から１２は作業又はオーバーヘッド情報を転送するためのｐＯＴＮオーバーヘッド区画であり、列１３から９６は、ＯＤＵｋ又はＣＢＲｘデータの転送の場合はデータ／詰め込みバイトのための、そしてそれ以外の場合は、詰め込みバイトを構成する事前確立済みの固定バイトで完全に満たすための詰め込み及びデータ区画であり、列９７から２４０は、ＯＤＵｋ又はＣＢＲｘデータの転送の場合はデータバイト用のｐＳＯＨオーバーヘッド区画であり、ＶＣ−ｎ又はＳＴＳ−ｎの転送の場合はオーバーヘッド情報の転送のための専用オーバーヘッド区画であり、列２４１から４４１６はデータバイト用のデータ区画であることを特徴とする、請求項４に記載のフレーム構造。
【請求項８】
データ転送に委ねられるフレーム区画のサイズは、転送しなければならない最大量のデータバイトを備えているトラフィック型式のデータバイト数を転送できる大きさに作られており、トラフィック型式の異なるものを転送する場合は、前記委ねられた区画の先頭の部分は、詰め込みバイトで詰められていることを特徴とする、請求項１に記載のフレーム構造。
【請求項９】
相互接続エンティティＯＤＵ２及びＣＢＲ１０Ｇは、ｐＯＴＮオーバーヘッド区画内のオーバーヘッド情報、及び他の全てのフレーム区画内のデータ／詰め込みバイトが入っている４つのフレームに分散配置されていることを特徴とする、請求項３に記載のフレーム構造。
【請求項１０】
相互接続エンティティＶＣ−４−６４ｃ／ＳＴＳ−１９２ｃは、ｐＯＴＮ及びｐＳＯＨオーバーヘッド区画内のオーバーヘッド情報、及び他の全てのフレーム区画内のデータ／詰め込みバイトが入っている４つのフレームに分散配置されていることを特徴とする、請求項３に記載のフレーム構造。
【請求項１１】
相互接続エンティティＯＤＵ３及びＣＢＲ４０Ｇは、ｐＯＴＮオーバーヘッド区画内のオーバーヘッド情報、及び他の全てのフレーム区画内のデータ／詰め込みバイトが入っている１６のフレームに分散配置されていることを特徴とする、請求項３に記載のフレーム構造。
【請求項１２】
相互接続エンティティＶＣ−４−２５６ｃ／ＳＴＳ−７９８ｃは、ｐＯＴＮ及びｐＳＯＨオーバーヘッド区画内のオーバーヘッド情報、及び他の全てのフレーム区画内のデータ／詰め込みバイトが入っている１６のフレームに分散配置されていることを特徴とする、請求項３に記載のフレーム構造。
【請求項１３】
各フレームは、４８のＶＣ−３／ＳＴＳ−１、又は１６のＶＣ−４／ＳＴＳ−３ｃ、又は４つのＶＣ−４−４ｃ／ＳＴＳ−１２ｃ、又は１つのＶＣ−４−１６ｃ／ＳＴＳ−４８ｃ、又はそれらの組み合わせまで転送できることを特徴とする、請求項１に記載のフレーム構造。
【請求項１４】
ＶＣ−ｎ／ＳＴＳ−ｎの転送の場合、ｐＯＴＮ及びｐＳＯＨオーバーヘッド区画はオーバーヘッド情報転送に委ねられ、データ−詰め込み区画には詰め込みバイトが詰め込まれ、一方、データ区画は、以下の詰め込み規則、即ち、
ＶＣ−３／ＳＴＳ−１は、７８３バイト（即ち、８７列／タイムスロット）で転送され、
ＶＣ−４／ＳＴＳ−３ｃは、２３４９バイト（即ち、２６１列／タイムスロット）で転送され、
ＶＣ−４−４ｃ／ＳＴＳ−１２ｃは、９３９６バイト（即ち、１０４４列／タイムスロット）で転送され、
ＶＣ−４−１６ｃ／ＳＴＳ−４８ｃは、３７５８４バイト（即ち、４１７６列／タイムスロット）で転送される、
の内の少なくとも１つでエンティティの転送に用いられることを特徴とする、請求項４に記載のフレーム構造。
【請求項１５】
フレーム内のトラフィックのマッピングは、構造内のマッピングの前にトラフィックエンティティをシステムクロックへ適合させるためのアダプターによって実現されることを特徴とする、請求項１に記載のフレーム構造。
【請求項１６】
ＶＣ−ｎ／ＳＴＳ−ｎ及びＯＤＵｋの転送の際は、システムクロックへの適合は、ＯＤＵｋをフレーム周波数に適合させ、同じ構造内のＯＤＵｋとＶＣ−ｎ／ＳＴＳ−ｎの両方が同時に相互接続できるように実現されることを特徴とする、請求項１５に記載のフレーム構造。
【請求項１７】
前記適合は、前記相互接続されたエンティティの前記フレーム内でのマッピングの間に実現され、相互接続後に、前記エンティティのクロックが回復され、信号が、その元のタイミングでＯＴＮ生成されることを特徴とする、請求項１５に記載のフレーム構造。
【請求項１８】
前記適合の際は、位置調整機構が、前記フレームのデータ詰め込み区画内に支持されていることを特徴とする、請求項１５に記載のフレーム構造。
【請求項１９】
前記フレーム内でのマッピングの前に、整列ワード用の６バイトと、制御用の１バイトと、パリティ検査用の１バイトから成る８バイトが、ＯＤＵｋトラフィックの３８２４バイトの各ブロックに加えられることを特徴とする、請求項４に記載のフレーム構造。
【請求項２０】
ＯＤＵ１転送の場合、本発明による構造は、トラフィック信号の周波数とネットワーク要素のシステムクロックの間の標準によって認められた全ての差を支援することのできるフレーム当たり[３９１２２−３９１２８] データバイトの範囲をマッピングすることのできる位置調整機構を必要とすることを特徴とする、請求項３に記載のフレーム構造。
【請求項２１】
ＯＤＵｋ（ｋ＝１、２、３）をフレーム内にマッピングするための前記位置調整機構では、データ詰め込み区画には、部分的には詰め込みバイトとデータバイトが詰め込まれていることを特徴とする、請求項３に記載のフレーム構造。
【請求項２２】
６バイトまでは、詰め込みバイト又はデータバイトが詰め込まれていなければならないことを特徴とする、請求項２１に記載のフレーム構造。
【請求項２３】
前記バイトの内容は、入力トラフィックとシステム周波数の間の周波数の差に依存し、制御バイト内にエンコードされているプロトコルによって制御されており、前記プロトコルの値は、同じフレームで３回複製され、多数決によって正しい翻訳ができるようになっていることを特徴とする、請求項２２に記載のフレーム構造。
【請求項２４】
ＣＢＲｘ信号は、前記構造内で、ＣＢＲｘの関連するＯＤＵｋへの事前適合を通して、即ち、ＣＢＲ２Ｇ５−＞ＯＤＵ１、ＣＢＲ１０Ｇ−＞ＯＤＵ２、ＣＢＲ４０Ｇ−＞ＯＤＵ３と転送されることを特徴とする、請求項１に記載のフレーム構造。
【請求項２５】
フレーム整列ワードが、宛先で各フレームの始まりを識別できるように、送信要素に挿入されていることを特徴とする、請求項１に記載のフレーム構造。
【請求項２６】
８バイトで構成されている整列ワードは、ｐＯＴＮオーバーヘッド区画の行１の最初の８バイトに配置されていることを特徴とする、請求項３に記載のフレーム構造。
【請求項２７】
多重フレーム整列信号を必要とすることを特徴とする、請求項１に記載のフレーム構造。
【請求項２８】
トラフィックの品質に関する追加情報が、ネットワーク保護図表を実現するために挿入されることを特徴とする、請求項１に記載のフレーム構造。
【請求項２９】
前記ネットワーク保護図表には、経路に沿う幾つかの点におけるトラフィックデータの複製と、２つの異なるサブネットワーク（即ち、作業と保護）に沿う送信と、保護されているサブネットワークの終点における品質基準に基づく２つの信号の内の１つの選択と、が必要であることを特徴とする、請求項２８に記載のフレーム構造。
【請求項３０】
切り替え構造が作業及び保護データ品質情報を監視し、結果として、ネットワークに沿って送られるトラフィックを選択できるように、前記品質情報は、入力インタフェーストラフィックデータを前記切り替え構造に送信するのに用いられるのと同じ手段で、関連の相互接続済みエンティティと関係付けられていることを特徴とする、請求項２８に記載のフレーム構造。
【請求項３１】
転送される各相互接続済みエンティティの品質に関する情報を収容するように専用化されたフレームの区画を必要とすることを特徴とする、請求項１に記載のフレーム構造。
【請求項３２】
専用バイトＱのｐＯＴＮオーバーヘッド区画では、ＯＤＵｋ又は転送されたＳＴＭ−ｎ／ＯＣ−ｎの品質がエンコードされ、ｐＳＯＨオーバーヘッド区画４８では、Ｑｎバイトが、転送されたＶＣ−ｎ／ＳＴＳ−ｎの品質のエンコードに専用化されることを特徴とする、請求項３１に記載のフレーム構造。
【請求項３３】
前記エンコーディングは、
入力で、切り替えられたエンティティに関する深刻な欠陥が見つかった場合、１６進値０２が、当該エンティティに関連する品質バイト（Ｑ）に挿入され、
入力で、切り替えられたエンティティに関するエラーレートが見つかったが、その品質の信用を完全に落とすわけでははなく、劣化を示すだけだけであると分かった場合、１６進値０１がエンコードされ、
入力で、切り替えられたエンティティに関する欠陥及び劣化が見つからなかった場合、１６進値００がエンコードされることを特徴とする、請求項３２に記載のフレーム構造。
【請求項３４】
各型式の相互接続されているエンティティ毎に、入力で検出される自動保護切り替え（ＡＰＳ）コマンドを転送するように構成されていることを特徴とする、請求項１に記載のフレーム構造。
【請求項３５】
前記構造は、オーバーヘッド区画を、ネットワーク要素内のトラフィックインタフェースと切り替え構造の間でのプロトコルの転送に専用化して、異なる構成を有するトラフィックインタフェースの間で１：Ｎ保護図式を高速で実行できるようにしており、ＡＰＳプロトコルを通してコマンドを受信するか、又は１：Ｎ保護に関わる相互接続されているエンティティの粗悪な品質を検知すると、前記切り替え構造は、保護インタフェースに、欠陥のあるものの構成に取り掛かるよう指示し、反対方向では、保護インタフェースは、要求されている構成の適用を確認することを特徴とする、請求項３４に記載のフレーム構造。
【請求項３６】
ネットワーク要素内のトラフィック経路指定の正しさを監視し、品質、即ち、前記ネットワーク要素がトラフィックの劣化を引き起こしていないことを監視し、接続の正しさ、即ち、前記ネットワーク要素が、誤った接続を導入することなく装備されている各入力ポート−出力ポート対の間の接続を保証していることを監視するための内部機構が必要であることを特徴とする、請求項１に記載のフレーム構造。
【請求項３７】
分散型ネットワーク要素、即ち、トラフィックインタフェース及び切り替え構造が異なる部位にあるか、又は、切り替え構造が異なる段階に編成されている場合、前記構造は、前記ネットワーク要素内の相互接続されているエンティティの各経路区画を監視することに支援を提供することを特徴とする、請求項３６に記載のフレーム構造。
【請求項３８】
前記フレームを監視を行うために、前記フレームには、フレームソースの識別子（経路トレース）と、スクランブリング後に計算される監視エラーコードが入っていることを特徴とする、請求項３７に記載のフレーム構造。
【請求項３９】
フレーム区画は、相互接続されているエンティティの端から端まで経路トレースとパリティ検査とを実行するよう専用化されていることを特徴とする、請求項１に記載のフレーム構造。
【請求項４０】
別のフレーム区画は、相互接続されているエンティティの端から端まで前記経路のセグメントに対して同じ制御を実行するよう専用化されていることを特徴とする、請求項３９に記載のフレーム構造。
【請求項４１】
オーバーヘッド区画では、ＣＢＲｘ信号又はＯＤＵｋエンティティの切り替えの場合、３個のバイトが、ネットワーク要素の入力トラフィックインタフェース出力トラフィックインタフェース経路全体を制御するのに専用化されており、前記３個のバイトの内２個のバイトは、構造生成器の固有の識別子を入れるのに専用化され、３個目のバイトには生成された構造パリティが入っていることを特徴とする、請求項４０に記載のフレーム構造。
【請求項４２】
別の３つのバイトが、同じ型式の検査を個々の経路区画で実行するために専用化されていることを特徴とする、請求項４１に記載のフレーム構造。
【請求項４３】
前記構造の区画は、活動化及び非活動化プロトコルを転送して、エラーを検出し、保護切り替えがパリティエラー又は経路トレースの検出を引き起こすことのないように、専用化されていることを特徴とする、請求項３９に記載のフレーム構造。
【請求項４４】
前記フレームは、時間情報を転送することを特徴とする、請求項３１に記載のフレーム構造。
【請求項４５】
前記フレームは、少なくとも２つのタイミング信号のトラフィックデータと共に転送を支援するためのポインター機構を備えていることを特徴とする、請求項４４に記載のフレーム構造。
【請求項４６】
前記フレーム内のタイミング信号エッジの位置は、前記フレームの専用のオーバーヘッドバイト内の特定のポインター値によって識別されることを特徴とする、請求項４５に記載のフレーム構造。
【請求項４７】
前記ポインター値は、同じフレームのオーバーヘッド内でｎ回複製され、宛先で、多数決によって正しい翻訳ができるようになっていることを特徴とする、請求項４６に記載のフレーム構造。
【請求項４８】
タイミング信号が間違った状態にある場合には、前記ポインター値が有効でないことを示すための手段を備えており、前記手段は、前記フレームの一部に挿入される特定の値を備えていることを特徴とする、請求項４６に記載のフレーム構造。
【請求項４９】
前記フレームから前記ポインター機構を通して転送されるタイミング信号の同期化品質情報も、内側フレームの専用区画内に入っていることを特徴とする、請求項４５に記載のフレーム構造。
【請求項５０】
前記フレームによる情報送信内のエラーに起因する保護切り替えを避けるために、パリティ制御専用のバイトが、相互接続されているエンティティの品質情報、ＡＰＳコマンド及び両終端情報、タイミング信号の同期化品質情報、の内の少なくとも１つを転送する前記オーバーヘッド区画の品質を検査するために設けられていることを特徴とする、請求項２８に記載のフレーム構造。
【請求項５１】
異なる型式のトラフィック情報を切り替えることのできるネットワーク要素の入力インタフェースから出力インタフェースへトラフィック情報を転送するための方法において、複数の固定サイズの連続するフレームを備えている情報転送フレームを形成する段階を含んでおり、各フレームは、少なくとも１つのオーバーヘッド区画と、１つのデータ詰め込み区画と、データ区画とを備えており、前記データ詰め込み区画と前記データ区画は、一緒になって、少なくとも、予測されるものの中で最も容量を必要とするトラフィック型式を入れることのできるサイズになっており、前記入力インタフェースでトラフィック型式のデータを受信すると、前記フレーム内に前記データをマッピングして前記データで全てのデータ区画を満たし、前記データ詰め込み区画で継続し、そして前記トラフィック型式が前記フレーム内に配置されているスペースよりも少ないスペースしか必要としない場合は、残りのスペースを詰め込みバイトで満たし、転送されるトラフィック型式を変更してフレームのサイズを保つことを特徴とする方法。
【請求項５２】
少なくとも１つの入力インタフェース及び１つの出力インタフェースと、両者の間でデータを上記請求項の何れかに記載のフレーム構造で送信するための手段と、を備えていることを特徴とする装置。